(57)【要約】【課題】  カウンター上方に吊り戸棚等の什器や、部屋の壁構造などの周囲の環境条件に依らず、台所空間とダイニングルーム等の隣接部屋空間との間を一時的に仕切って、視界や水はねを遮ることができて開放感も向上できる対面キッチン用カウンターを提供すること。【解決手段】  台所空間とダイニングルーム等の隣接部屋空間との間に設けられる対面キッチン用カウンターである。隣接部屋側に向けて延出されたカウンター天板２の延出部４を別体とする。延出部４をカウンター天板２上面に立設可能となるよう天板本体３に保持させる。【選択図】図１
2005304875.tif 000002
【特許請求の範囲】
【請求項１】
台所空間とダイニングルーム等の隣接部屋空間との間に設けられる対面キッチン用カウンターであって、
隣接部屋側に向けて延出されたカウンター天板の延出部を別体とし、同延出部をカウンター天板上面に立設可能となるよう天板本体に保持させて成る対面キッチン用カウンター。
【請求項２】
前記天板本体の側縁部に長尺状の保持片を水平状態にて係着可能となるよう軸支させ、前記延出部の側縁部に同保持片とスライドさせるガイド溝を形成して、同延出部を保持片に沿って保持し隣接部屋側に向けて水平保持させて成ることを特徴とする請求項１に記載の対面キッチン用カウンター。
【請求項３】
前記延出部は、前記天板本体との接合端面に側面視コ字状の天板本体端部を把持する把持片を有するものであることを特徴とする請求項１または請求項２いずれかに記載の対面キッチン用カウンター。
【請求項４】
前記把持片は、その対向片の一縁に前記延出部をカウンター天板上面に立てたときに上面に当接する外向きの折曲片を有することを特徴とする請求項３に記載の対面キッチン用カウンター。
【発明の詳細な説明】
【技術分野】
【０００１】
本発明は対面キッチン用カウンターに関し、特に台所空間とダイニングルーム等の隣接部屋空間との間を必要なときに一時的に仕切って、視界や水はねを効果的に遮ることができ且つ利便性も向上できる対面キッチン用カウンターに関する。
【背景技術】
【０００２】
近年、台所空間と、その台所空間に隣接するリビング／ダイニング／リビング・ダイニングルーム等の隣接部屋空間との間において、開放感の向上等を図ることのできる対面キッチンが採用されてきている。この対面キッチンにおいては、対面キッチン用カウンターにて両空間を仕切るようになっており、開放感は向上するが、反面、来客時に隣接する部屋から台所空間が見え過ぎるので気遣いが必要となる。また、一般に、対面キッチン用カウンターに対しては、キッチン使用時におけるカウンター天板上面への水はね防止への配慮も必要とされる。
【０００３】
そこで、特開平８−１２６５７３公報に開示されているような、一時的に視界や水はねを遮ることを可能にすべく、カウンター上方に位置する吊り戸棚を利用し、その下面にロールスクリーンのような可動型の目隠し部材を取り付け、当該吊り戸棚とカウンターとの間の開口部を隠すときには目隠し部材を引き下げ、不要なときには巻上げるようにした、対面式カウンターキッチン用の可動仕切り構造が既に提案されている。しかしながら、この構造によると、可動型の目隠し部材を吊り戸棚の下面に取り付けているので、吊り戸棚の存在が十分な開放感を阻害することとなる。
【０００４】
そのため、本出願人は、任意に使用・収納が可能で、台所空間と隣接部屋空間との間を必要なときに一時的に仕切って、視界や水はねを容易に且つ確実に遮ることができ、開放感もより向上できる対面式カウンターキッチン用可動仕切り構造として、特開２００３−２７５０４５公報に開示されている、図５に示すような、対面式カウンターキッチン用可動仕切り構造を提案している。この構造は、台所側壁１０４からカウンター方向へ延びた壁部１０３内に仕切り部材１０２を出し入れ自在に格納し、同図（ｂ）に示すように、当該仕切り部材１０２を使用時には壁部１０３の側面開口からカウンター１０１上へ引き出し、収納時には壁部１０３内へ戻すようにしている。
【０００５】
これにより、カウンター１０１の端から端まで延びた吊り戸棚は不要であり、通常の壁部１０３のみで仕切り部材１０２の配置が可能で、後は仕切り部材１０２を出し入れするだけで必要なときにカウンター１０１の端から端まで仕切ることができ、容易に且つ確実に一時的な目隠しや水はね防止を行うことができるという効果を奏している。
【０００６】
しかしながら、この構成は、台所側壁１０４からカウンター１０１方向へ延びた壁部の無い部屋構造においては対応できないという、新たな問題をもたらしている。
【特許文献１】特開平８−１２６５７３公報
【特許文献２】特開２００３−２７５０４５公報
【発明の開示】
【発明が解決しようとする課題】
【０００７】
本願発明は、上記背景技術に鑑みてなされたものであり、その課題は、カウンター上方の吊り戸棚等の什器や、部屋の壁構造などの周囲の環境条件に依らず、台所空間とダイニングルーム等の隣接部屋空間との間を一時的に仕切って、視界や水はねを遮ることができて開放感も向上できる対面キッチン用カウンターを提供することである。
【課題を解決するための手段】
【０００８】
上記課題を解決するために、本願発明による対面キッチン用カウンターは、台所空間とダイニングルーム等の隣接部屋空間との間に設けられる対面キッチン用カウンターであって、隣接部屋側に向けて延出されたカウンター天板の延出部を別体とし、同延出部をカウンター天板上面に立設可能となるよう天板本体に保持させて成ることを特徴としている。
【０００９】
そして、前記天板本体の側縁部に長尺状の保持片を水平状態にて係着可能となるよう軸支させ、前記延出部の側縁部に同保持片とスライドさせるガイド溝を形成して、同延出部を保持片に沿って保持し隣接部屋側に向けて水平保持させるのが好ましい。
【００１０】
また、前記延出部は、前記天板本体との接合端面に側面視コ字状の天板本体端部を把持する把持片を有することが好ましい。
【００１１】
また、前記把持片は、その対向片の一縁に前記延出部をカウンター天板上面に立てたときに上面に当接する外向きの折曲片を有することが好ましい。
【発明の効果】
【００１２】
本願発明の対面キッチン用カウンターは、カウンター天板の一部であって隣接部屋側に向けて延出された延出部が、別体としてカウンター天板上面に立設されるので、カウンター上方の吊り戸棚等の什器や、部屋の壁構造などの周囲の環境条件に依らず、台所空間とダイニングルーム等の隣接部屋空間との間を一時的に仕切って、視界や水はねを遮ることができ、しかも台所とダイニングルーム等の隣接部屋間での開放感も向上できる。
【００１３】
そして、別体とした隣接部屋側延出部が、水平状態にて係着された、天板本体の側縁部に軸支されている長尺状の保持片に沿ってスライドされて隣接部屋側に向けて水平保持されるので、容易にカウンター天板という役目を果たすこととなり使い勝手が良い。
【００１４】
また、前記天板本体との接合端面に設けられた側面視コ字状の把持片にて天板本体端部が把持される結果として、延出部がより安定して水平保持されるものとなる。
【００１５】
また、延出部をカウンター天板上面に立てたときに上面に当接する外向きの折曲片を対向片の一縁に有する把持片においては、別体とした延出部が、カウンター天板上面により安定して立設されるものとなるという効果を奏する。
【発明を実施するための最良の形態】
【００１６】
本発明の上記および他の効果、特徴および利点を明確にすべく、添付した図面を参照しながら、本発明の実施の形態を以下に詳述する。 図１を参照すると、本発明の一実施例としての対面キッチン用カウンターの概略を表した斜視図が示されている。図２〜図４は、図１に示す対面キッチン用カウンターの作用を示した説明図である。
【００１７】
この実施形態の対面キッチン用カウンター１は、台所空間とダイニングルーム等の隣接部屋空間との間に設けられる対面キッチン用カウンターであって、隣接部屋側に向けて延出されたカウンター天板２の延出部４を別体とし、同延出部４をカウンター天板２上面に立設可能となるよう天板本体３に保持させて成る。
【００１８】
この場合、前記天板本体３の側縁部３１に長尺状の保持片５を水平状態にて係着可能となるよう軸支させ、前記延出部４の側縁部４１に同保持片５とスライドさせるガイド溝４２を形成して、同延出部４を保持片５に沿って保持し隣接部屋側に向けて水平保持させてもいる。また、前記延出部４は、前記天板本体３との接合端面に側面視コ字状の天板本体３端部を把持する把持片９を有するものとし、さらに、前記把持片９は、その対向片９２の一縁に前記延出部４をカウンター天板２上面に立てたときに上面に当接する外向きの折曲片９３を有するようにしている。
【００１９】
詳しくは、この対面キッチン用カウンター１は、その施工にあたって、吊り戸棚等の什器の存在や、部屋の壁構造などの周囲の環境条件に依らずに施工できて、図２（ａ）に示すように、台所空間とダイニングルーム等の隣接部屋空間との間を一時的に仕切って使用できるようにしたもので、カウンター天板２の台所側の天板本体３には、水はねあるいは油はねの拡散を簡易的に防止したり、あるいは視界を遮ることのできるようその上面に立設固定された透光板６、６の手前側に、シンク７やガスコンロなどの調理機器８が設けられるようになっており、また、この天板本体３の側縁部３１には後述する保持片５が軸着されるようになっている。
【００２０】
延出部４は、カウンター天板２の天板本体３の隣接部屋側部分を切り離して別体とした長尺状の板材であり、天板本体３と同種類の材料にて形成され、図３に示すように、後述する保持片５の一端に突設されたガイド片５２と係合させ、この延出部４をスライドガイドさせる所定長さのガイド溝４２がその側縁部４１の所定位置に刻設されている。
【００２１】
保持片５は、上記延出部４を天板本体３に対して水平状態にて係着可能とするためのもので、金属材料、合成樹脂材料にて、一体に突設されたガイド片５２をその一端側に有して長尺状に形成され、上記天板本体３の側縁部３１に支持軸５１と介して軸支されている。なお、上記ガイド片５２には、延出部４が上記ガイド溝４２を円滑にスライドガイド可能となるよう、回転自在としたローラーを付設させても良い。
【００２２】
把持片９は、金属材料、合成樹脂材料にて形成された側面視コ字状の長尺材で、図３に示すように、基板部９１両縁に天板本体３の厚さ寸法より僅かに大きい間隔をおいた対向片９２、９２、及びその対向片９２の一縁に、所定長さの外向きＬ字状の折曲片９３を有する。この把持片９は、同図（ａ）に示すように、上記延出部４に基板部９１が接合されており、同図（ｂ）に示すように、対向片９２、９２間において天板本体３を把持し、天板本体３に延出部４を保持片５に沿って隣接部屋側に向けてより安定に水平保持させる。また、この場合、外向きの折曲片９３を対向片９２、９２の一縁に有するので、図４に示したように、折曲片９３が延出部４をカウンター天板２上面に立てたときに、折曲片９３の一面がカウンター天板２上面に当接して、別体とした延出部４がカウンター天板２上面により安定して立設される。
【００２３】
かかる対面キッチン用カウンター１によると、図２（ａ）に示すように、隣接部屋の延出部４（想像線Ｂの状態）を、矢印Ａ１に示すように操作してカウンター天板２上面に立てたり、隣接部屋側に向けて水平保持させたり、あるいは同図（ｂ）に示すように、矢印Ａ２に示すように操作して隣接部屋側において垂下させたりして、延出部４を調理や炊事、軽食などの一時的な食事、あるいは家族での団欒等の各生活シーンに対応させて使用することができるのである。
【００２４】
したがって、以上説明した対面キッチン用カウンター１によると、カウンター天板２の一部であって隣接部屋側に向けて延出された延出部４が、別体としてカウンター天板２上面に立設されるので、カウンター上方の吊り戸棚等の什器や、部屋の壁構造などの周囲の環境条件に依らず、台所空間とダイニングルーム等の隣接部屋空間との間を一時的に仕切って、視界や水はねを遮ることができ、しかも台所とダイニングルーム等の隣接部屋間での開放感も向上できる。
【００２５】
そして、別体とした隣接部屋側延出部４が、水平状態にて係着された、天板本体３の側縁部に軸支されている長尺状の保持片５に沿ってスライドされて隣接部屋側に向けて水平保持されるので、容易にカウンター天板という役目を果たすこととなり使い勝手が良い。
【００２６】
また、前記天板本体３との接合端面に設けられた側面視コ字状の把持片９にて天板本体３端部が把持される結果として、延出部４がより安定して水平保持されるものとなる。また、延出部４をカウンター天板２上面に立てたときに上面に当接する外向きの折曲片９３を対向片９２の一縁に有する把持片９においては、別体とした延出部４が、カウンター天板２上面により安定して立設されるものとなるという効果を奏する。
【００２７】
なお、本発明は上記各実施例に限定されず、本発明の技術思想の範囲内において、各実施例は適宜変更され得ることは明らかである。
【図面の簡単な説明】
【００２８】
【図１】本願発明の一実施形態である対面キッチン用カウンターの概略構成を示す斜視図。
【図２】同対面キッチン用カウンターの要部であるカウンター天板の説明図。
【図３】同対面キッチン用カウンターの要部である延出部の作用を示した説明図。
【図４】同対面キッチン用カウンターの要部である延出部の別の作用を示した説明図。
【図５】従来例の対面キッチン用カウンターを示す説明図。
【符号の説明】
【００２９】
１      対面キッチン用カウンター
２      カウンター天板
３      天板本体
３１      側縁部
４      延出部
４１      側縁部
４２      ガイド溝
５      保持片
９      把持片
９２      対向片
【図１】
2005304875.tif 000003
【図２】
2005304875.tif 000004
【図３】
2005304875.tif 000005
【図４】
2005304875.tif 000006
【図５】
2005304875.tif 000007